(57)【要約】【課題】山形鋼と、該山形鋼の上端に溶接にて取付けられた縞鋼板と、山形鋼の縦辺外側に溶接にて取付けられ、コンクリートに埋設されて受枠を固定するためのアンカーを有し、排水溝や排水桝に取付けられて、グレーチングが装着される用受枠において、上記アンカーが受け枠より突出して邪魔にならないようにすると共に、保管時や運搬時に段積みしても嵩張らないようにし、また既設の受枠と取り換える際には、コンクリートのはつり量を少なくできるようにすると共に、上記縞鋼板を支持する突支棒としての機能を果たすようにする。【解決手段】ロッドよりなるアンカー１２で山形鋼２の縦辺外側と縞鋼板４下面とを突支棒状に連結する。【選択図】図５
2005307484.tif 000002
【特許請求の範囲】
【請求項１】
断面Ｌ形部と該Ｌ形部上端より横向きに伸びる水平部とよりなる断面略Ｚ形の受枠と、コンクリートに埋設されて受枠を固定するためのアンカーを有し、排水溝や排水桝に取付けられて、グレーチングが装着されるグレーチング用受枠において、上記アンカーがＬ形部の縦辺外側と、水平部下面を連結して断面突支棒をなすことを特徴とするグレーチング用受枠。
【発明の詳細な説明】
【技術分野】
【０００１】
本発明は、排水溝や排水桝に取付けられて、グレーチングが装着されるグレーチング用受枠に関する。
【背景技術】
【０００２】
図１は、排水桝に取付けられる、断面Ｚ形のこの種グレーチング用受枠１を示すものであり、図２は、下記特許文献１に開示された図１のＡ−Ａ線で示す従来の受枠１をコンクリート３に取付けた状態を示すもので、山形鋼２を矩形状に組み立てるとともに、各山形鋼２の上端に上面を滑り止め加工した縞鋼板４を横向きに取付け、かつ山形鋼２の縦辺外側にコンクリート３に埋設されて受枠１を固定するためのアンカー５を取付けたものよりなっている。図中、６はグレーチングを示す。また図３は、図２に示す受枠１を保管や運搬のため段積みして積み重ねた状態を示すものである。
【特許文献１】実開昭５６−１４４１８９号
【発明の開示】
【発明が解決しようとする課題】
【０００３】
本発明は、図２に示すグレーチング用受枠１について改良したもので、積み重ねたとき嵩張らないようにすると共に、既設の排水溝や排水桝に新たに受枠を設置する際、コンクリートのはつり量を少なくすることができるようにするものである。
【課題を解決するための手段】
【０００４】
請求項１に係る発明は、断面Ｌ形部と該Ｌ形部上端より横向きに伸びる水平部とよりなる断面略Ｚ形の受枠と、コンクリートに埋設されて受枠を固定するためのアンカーを有し、排水溝や排水桝に取付けられて、グレーチングが装着されるグレーチング用受枠において、上記アンカーがＬ形部の縦辺外側と、水平部下面を連結して断面突支棒をなすことを特徴とする。
【０００５】
本発明の受枠は、従前のこの種受枠と同様、断面Ｌ形部を構成する山形鋼と、山形鋼上端に溶接にて横向きに取付けられる鋼板より構成することができるが、これ以外にも例えば平板状の鋼板を折り曲げることによって形成することができる。
【０００６】
水平部を構成する鋼板には、平板状をなすもの、先端を折り曲げた断面Ｌ形状をなすものなどを用いることができ、前者の平板状をなすものにおいては、受枠の断面形状は図２に示されるように断面Ｚ形をなし、後者の断面Ｌ形状をなすものにおいては、受枠の断面形状は、図７に示されるような形状をなす。
【０００７】
上記鋼板はまた、表面が平坦をなすものを用いることもできるが、好ましくは表面が滑り止め加工された鋼板、例えば以下の実施形態に示されるような縞鋼板、その他表面が例えばギザギザや凹凸のような形状をなすもの、摩擦係数の大きな例えばゴム材を貼り付けたものなどが用いられる。
【０００８】
アンカーは、アンカーとしての機能とともに、突支棒としての機能を果たすが、こうした機能を果たすものであれば、どのような構造或いは形状をなしていてもよい。こうしたものとして多くは構造が簡単で、安価な鋼製の丸棒や異形棒鋼等よりなるロッドが用いられるが、プレート状のものを用いることもできる。ロッドを用いる場合でも、以下の実施形態に示されるような一定長さのロッドを用いることができるし、図３に示すようにＵ形状に折り曲げたものを用いることもできる。
【発明の効果】
【０００９】
本発明によると、アンカーはコンクリートに埋設されて、アンカーとしての本来の機能を果たすほか、受枠が占めるスペース内に収まるため、受枠より突出して邪魔になることがないうえ、作業者がアンカーに引掛かってケガをすることもなく、また受枠を直接接触した状態で段積みして積み重ねても嵩張らないようにできること、既設の排水溝や排水桝に新たに受枠を設置する際には、コンクリートをはつってアンカーが収まるだけのスペースを確保する必要があるが、アンカーは上述するように、受枠が占めるスペース内に収まるため、コンクリートのはつり量を少なくすることができ、受枠を設置するのに要するコストを低減できること、鋼板は、突支棒として機能するアンカーによって支持され、山形鋼に十分な強度を持たせて溶接しなくても、しっかりと固定することができること等の効果を奏する。
【発明を実施するための最良の形態】
【００１０】
以下、本発明の実施形態のグレーチング用受枠１１について図面より説明する。図中、図２に示す受枠１と同一構造のものは同一符号を付して、その説明を省略する。
【００１１】
図４は、本発明に係るグレーチング用受枠１１の正面、図５はコンクリート３に取付けた図２に対応した断面を示すもので、グレーチング用受枠１１が図２に示す受枠１と異なる点は、図２に示すアンカー５に代えて山形鋼２の縦辺外側と縞鋼板４下面とを突支棒状に連結するロッドよりなりアンカー１２を設けたことである。このアンカー１２はコンクリート３に取付けた状態で、受枠１１を固定するアンカーとしての機能を果たすことはもちろん、受枠１１より突出しないため邪魔になったり、アンカーに引掛かってケガをすることもなく、また図６に示すように直接接触した状態で段積みして積み重ねることができ、嵩張らないようにできること、既設の排水溝や排水桝に新たに受枠を設置する際には、アンカー１２が収まるだけのコンクリートをはつればよく、はつり量が少なくできて作業コストを低減できること、アンカー１２が突支棒として機能するため、縞鋼板４がしっかりと固定することができ、山形鋼２との溶接強度を左程要しないこと、等の効果を奏する。
【００１２】
図７は、本発明に係るグレーチング用受枠２１の別の態様を示すもので、図５に示すグレーチング用受枠１１と異なる点は、縞鋼板２２が断面Ｌ形をなし、先端がコンクリート３に埋設されていることである。
【００１３】
上記実施形態は、本発明を排水桝用のグレーチング用受枠１１に適用した例を示したが、排水溝用のグレーチング用受枠にも同様に適用することができる。
【産業上の利用可能性】
【００１４】
本発明のグレーチング用受枠は、排水溝や排水桝に取付けられるグレーチング用受枠として使用することができる。
【図面の簡単な説明】
【００１５】
【図１】排水桝用グレーチング用受枠の平面図。
【図２】図１のＡ−Ａ線断面図。
【図３】図２に示す受枠を段積みして積み重ねたときの状態を示す図。
【図４】本発明に係るグレーチング用受枠の正面図。
【図５】図１のＡ−Ａ線における本発明に係るグレーチング用受枠の正面図。
【図６】本発明に係るグレーチング用受枠を段積みして積み重ねた状態を示す図。
【図７】受枠の別の態様を示す断面図。
【符号の説明】
【００１６】
１、１１・・グレーチング用受枠
２・・山形鋼
３・・コンクリート
４、２２・・縞鋼板
５、１２・・アンカー
６・・グレーチング
【図１】
2005307484.tif 000003
【図２】
2005307484.tif 000004
【図３】
2005307484.tif 000005
【図４】
2005307484.tif 000006
【図５】
2005307484.tif 000007
【図６】
2005307484.tif 000008
【図７】
2005307484.tif 000009